(57)【特許請求の範囲】
【請求項１】
用紙に印字を行うプリンタ本体に、少なくとも複数の勤務のシフト時間帯が記憶された印字装置であって、
前記プリンタ本体には、
少なくとも各種操作、担当者ＩＤ、ログオンおよびログアウトが入力可能な入力操作手段と、
前記担当者が勤務する予定のシフト時間帯およびこのシフト時間帯に対応するシフト区分を少なくとも記憶するシフト時間記憶手段と、
前記入力操作手段から入力されたログオンからログオフまでの間に印字発行した用紙枚数を生産量として担当者別に記憶する処理件数記憶手段と、
が備えられ、
前記シフト区分および担当者ごとに、印字発行された生産量を集計して出力することを特徴とする印字装置。
【請求項２】
前記プリンタ本体には、更に、前記担当者が前記シフト時間帯において実行する作業予定量を、発行する用紙の枚数に換算した目標値として記憶する目標値記憶手段と、
前記シフト区分および担当者ごとに、前記目標値に対する生産量の割合より達成率を算出可能な算出手段と、
を備えたことを特徴とする請求項１に記載の印字装置。
【請求項３】
ホストコンピュータとプリンタ本体とがネットワークを介して接続され、プリンタ本体にて取得されたシフト区分および担当者ごとのデータをホストコンピュータにて管理する稼動状況管理システムであって、
前記プリンタ本体には、
少なくとも各種操作、担当者ＩＤ、ログオンおよびログアウトが入力可能な入力操作手段と、
前記担当者が勤務する予定の勤務のシフト時間帯およびこのシフト時間帯に対応するシフト区分を少なくとも記憶するシフト時間記憶手段と、
前記担当者が前記勤務シフト時間帯において実行する作業予定量を、発行する用紙の枚数に換算した目標値として記憶する目標値記憶手段と、
前記入力操作手段から入力されたログオンからログオフまでの間に印字発行した用紙枚数を生産量として担当者別に記憶する処理件数記憶手段と、
前記シフト区分および担当者ごとに、前記目標値に対する生産量の割合より達成率を算出可能な算出手段と、
前記シフト区分および担当者ごとに、印字発行された用紙枚数を集計して印字出力する印字手段と、
前記入力操作手段よりホストコンピュータに対する送信要求が指示されたとき、または、ホストコンピュータからの返信要求が指示されたとき、前記シフト区分および担当者ごとのデータを前記ネットワークを介して前記ホストコンピュータに送信する送信手段と、
が備えられ、
前記ホストコンピュータには、
前記プリンタ本体に対しデータの返信を要求する指示手段と、
前記シフト区分および担当者ごとに集計されたデータを記憶する稼動状況記憶手段と、
を備えることを特徴とする稼動状況管理システム。
【発明の詳細な説明】
【０００１】
【発明の属する技術分野】
本発明は、特にシフト勤務等により多くの担当者が入れ替わり使用する印字装置に関する。
【０００２】
【従来の技術】
従来、２４時間営業のコンビニなどにおいて、入荷された食品（弁当など）に製造時間や賞味期限などを必要に応じて貼り付けるラベルを印字・発行する印字装置としてラベルプリンタが知られている。
このようなラベルプリンタは、コンビニの賞味期限などの表示に用いられるだけでなく、例えば、３交代シフトを実施するような工場において、製造部品や出荷製品の管理用にバーコード付の各種ラベルを発行するためにも使用されている。
【０００３】
ところで、このような従来のラベルプリンタでは、プリンタ単体で稼動状況が把握できなかった。すなわち、操作者によって所定の操作が行われ、各種のラベルの印字・発行が指示されると、指示された枚数だけラベルが発行され、カウンタを見れば発行された枚数は確認できるものの、発行担当者が誰か、また、何時ころ発行したかという稼動状況がプリンタ単体では確認できないという問題があった。
また、スタンドアロンで使用されるラベルプリンタ等においては、本部において末端の操作者によって何時頃に何枚ラベルが発行されたかの把握が難しく、特に、夜間のシフト者の作業効率を把握したくともできないという問題があった。
【０００４】
【発明が解決しようとする課題】
本発明は、上記のような問題点に着目してなされたものであって、プリンタ本体で勤務シフトごと、かつ、担当者ごとに稼動状況を記憶するとともに、これらの稼動状況をホスト送信可能とした印字装置および稼動情報管理システムを提供することを課題とする。
【０００５】
【課題を解決するための手段】
上記課題を達成するため、本発明に係る印字装置は、用紙に印字を行うプリンタ本体に、少なくとも複数の勤務のシフト時間帯が記憶された印字装置であって、前記プリンタ本体には、少なくとも各種操作、担当者ＩＤ、ログオンおよびログアウトが入力可能な入力操作手段と、前記担当者が勤務する予定のシフト時間帯およびこのシフト時間帯に対応するシフト区分を少なくとも記憶するシフト時間記憶手段と、前記入力操作手段から入力されたログオンからログオフまでの間に印字発行した用紙枚数を生産量として担当者別に記憶する処理件数記憶手段と、が備えられ、前記シフト区分および担当者ごとに、印字発行された生産量を集計して出力することを特徴とする。
また、前記プリンタ本体には、更に、前記担当者が前記シフト時間帯において実行する作業予定量を、発行する用紙の枚数に換算した目標値として記憶する目標値記憶手段と、前記シフト区分および担当者ごとに、前記目標値に対する生産量の割合より達成率を算出可能な算出手段と、を備えるようにできる。
更に、本発明に係る稼動状況管理システムは、ホストコンピュータとプリンタ本体とがネットワークを介して接続され、プリンタ本体にて取得されたシフト区分および担当者ごとのデータをホストコンピュータにて管理する稼動状況管理システムであって、前記プリンタ本体には、少なくとも各種操作、担当者ＩＤ、ログオンおよびログアウトが入力可能な入力操作手段と、前記担当者が勤務する予定の勤務のシフト時間帯およびこのシフト時間帯に対応するシフト区分を少なくとも記憶するシフト時間記憶手段と、前記担当者が前記勤務シフト時間帯において実行する作業予定量を、発行する用紙の枚数に換算した目標値として記憶する目標値記憶手段と、前記入力操作手段から入力されたログオンからログオフまでの間に印字発行した用紙枚数を生産量として担当者別に記憶する処理件数記憶手段と、前記シフト区分および担当者ごとに、前記目標値に対する生産量の割合より達成率を算出可能な算出手段と、前記シフト区分および担当者ごとに、印字発行された用紙枚数を集計して印字出力する印字手段と、前記入力操作手段よりホストコンピュータに対する送信要求が指示されたとき、または、ホストコンピュータからの返信要求が指示されたとき、前記シフト区分および担当者ごとのデータを前記ネットワークを介して前記ホストコンピュータに送信する送信手段と、が備えられ、前記ホストコンピュータには、前記プリンタ本体に対しデータの返信を要求する指示手段と、前記シフト区分および担当者ごとに集計されたデータを記憶する稼動状況記憶手段と、を備えることを特徴とする。
【０００６】
【発明の実施の形態】
以下、図１ないし図8を参照して、本発明の好適な一実施の形態を説明する。図１は、印字装置としてのラベルプリンタのプリンタ本体の主要構成を示す側面図であり、ラベルプリンタ１は、主に、各部を制御する制御部２と、ラベル３に印字を行うサーマルヘッド４と、図示せぬモーターやベルト等のラベル搬送機構を介して回転し、後述する供給軸５に装着されたラベル連続体６を構成する台紙７および台紙７に剥離可能に貼着されたラベル３をサーマルヘッド４に搬送するとともに、ラベル１をサーマルヘッド４に押圧するプラテンローラ８（以下、単にプラテンと称す）と、ラベル連続体６を回転自在に支持する供給軸５と、所定の光を出射する発光部および発光部から出射された光を受光し、受光した光の強度（単位時間当たりの受光量）に対応する電気信号を出力する受光部とからなり、台紙２裏面の図示省略の識別マークと識別マーク以外の部分との受光部の受光量に基づいてラベル３の位置を検出する位置検出用の光反射センサ９とを備えている。
【０００７】
図２は、図１の実施の形態の電気的な構成例を示すブロック図である。同図に示すように、制御部２は、所定の制御プログラムを記憶するＲＯＭ（ｒｅａｄ  ｏｎｌｙ  ｍｅｍｏｒｙ）１０と、ＲＯＭ１０に記憶されている制御プログラムに従って動作し、各部を制御するＣＰＵ（ｃｅｎｔｒａｌ  ｐｒｏｃｅｓｓｉｎｇ  ｕｎｉｔ）１１と、ＣＰＵ１１が動作する上で必要となる各種データを記憶するＲＡＭ（ｒａｎｄｏｍ  ａｃｃｅｓｓ  ｍｅｍｏｒｙ）１２と、モーターやベルト（図示省略）等のラベル搬送機構１３を駆動するラベル搬送回路１４と、ＣＰＵ１１から供給される印字すべき文字、図形、バーコード等の印字データに対応する制御信号を生成してサーマルヘッド４に供給し、印字動作を行わせるサーマルヘッド印加回路１５と、ＣＰＵ１１の制御下、位置検出用の光反射センサ９の発光部から出射された電気信号を受光部にて受け取り、ディジタルのデータに変換して位置検出データとしてＣＰＵ１１に供給する識別マーク検出回路１６と、各種操作の入力および各種情報の表示を行う操作パネル１７から入力されたオペレーションを解析するとともに表示するための液晶表示／操作キー回路１８と、ホスト制御回路１９と、リアルタイムカレンダー回路２０とを備えている。また、ホスト制御回路１９を介して外部に接続された機器、例えば、ホストコンピュータ２１との間で各種データやコマンドの送受信を行うことができるようになっている。
【０００８】
前記ＲＯＭ１０には、主に、プリンタ制御プログラム２２、各種固定データ２３、制御テーブルデータ２４、ＩＯ定数２５、シフト管理制御プログラム２６が収納されるようになっている。
【０００９】
また、前記ＲＡＭ１２は、主に、フラグ２７、ワークエリア２８、印字展開エリア２９、現在日付３０、勤務時間のシフト時間帯データ３１およびトランザクションデータ３２が読み書きできるようになっている。フラグ２７は必要に応じて各種フラグをセット・リセットできるエリアであり、ワークエリア２８は作業用のエリアであり、また、印字展開エリア２９はサーマルヘッド４よりラベルに印字する文字、図形、バーコード等の印字データを展開する際に使用するとともに、後述する図５の「シフト別作業実績データ」を出力する際の編集エリアである。
【００１０】
図３は、ホストコンピュータ２１にて作成・記憶されている勤務時間のシフト時間帯データ３４であり、シフト区分３４ａとシフト時間３４ｂとから成る。
【００１１】
図４は、勤務時間のシフト別作業実績データ３５を示し、ホストコンピュータ２１にて作成されるシフト区分３５ａ、担当３５ｂ、目標値３５ｃから成る担当別目標データ３６と、後述するラベルプリンタ１からの送信により記憶される生産量３５ｄ、達成率３５ｅ、実績時間３５ｆから成る実績データ３７とから成る。図５において、便宜上、実績データ３７が記憶されている状態で図示してあるが、後述するラベルプリンタ１の作業実績が送信される前は、実績データ３７には何も記憶されていない。
目標値３５ｃは、作業予定量を、発行するラベル３の枚数に換算して表したものであり、シフト区分および担当者ごとに予め設定される。
【００１２】
次に、図５に示すフローチャートに従い、ホストコンピュータ２１からラベルプリンタ１に勤務シフトに関するデータをダウンロードする処理を説明する。
ステップＳ０１において、ホストコンピュータ２１に記憶されている図３のシフト区分３４ａとシフト時間３４ｂから成るシフト時間帯データ３４、および図５に示すシフト区分３５ａ、担当３５ｂ、目標値３５ｃから成る担当別目標データ３４をラベルプリンタ１側に送信する。
ホストコンピュータ２１から送信されたデータは、ホスト制御回路１９を介してラベルプリンタ１に到り、シフト時間帯データ３４はＲＡＭ１２のシフト時間帯データ３１に、また、担当別目標データ３４はＲＡＭ１２の担当別目標データ３３に、各々記憶されて処理を終了する。
送信のタイミングは、朝、ラベルプリンタ１の図示省略の電源を投入したタイミングでもよく、また、操作パネル１７からコンピュータ２１に対し送信要求のコマンドを指示してもよく、また、シフト時間帯の開始時刻の１時間前など、任意の時間に自動的にホストコンピュータ２１から送信するようにしてもよい。
なお、図２に詳細に図示していないが、ラベルプリンタ１側のシフト時間帯データ３１および担当別目標データ３３のフォーマットは、図３に示されるホストコンピュータ２１側のシフト時間帯データ３４および図４に示されるシフト別作業実績データ３５と同じである。従って、以降において便宜上、ラベルプリンタ１側のシフト時間帯データ３１のシフト区分は３１ａ、シフト時間は３１ｂとして、また、担当別目標データ３３のシフト区分は３３ａ、担当は３３ｂ、目標値は３３ｃとして、更に、実績データ３７の生産量は３３ｄ、達成率は３３ｅ、実績時間は３３ｆとして、各々説明する。
【００１３】
次に、図６に基づき、ラベルプリンタ１の稼動処理状況を説明する。
図６は、作業者（担当者）のラベル発行処理を示すフローチャートである。
ステップＳ１１において、担当者は担当者コードを入力し、更に、ステップＳ１２において、パスワードを入力する。ラベルプリンタでは、リアルタイムカレンダー回路２０から現在日付、時間、分などのデータを取得するとともに、取得した時間とＲＡＭ１２のシフト時間帯データ３１のシフト時間とを比較し、シフト区分を算出する。
そして、先にホストコンピュータ２１からダウンロードされＲＡＭ１２の担当別目標データ３３にセットされている担当者に対し、算出されたシフト区分および担当者にて検索を行い、図示しないパスワードおよびシフト区分を比較し、担当者が該当シフト時間に作業予定の者か、勤務時間帯のチェックを行う。パスワードが不一致、または、シフト勤務外と判断された場合は、ラベルプリンタの操作パネル１７の液晶表示部（図示省略）に表示し、ラベルプリンタはそれ以上動作しないようになっている。
【００１４】
ステップＳ１３にて、ログイン時間を記録する。すなわち、リアルタイムカレンダー回路２０から時間（時分）を取得し、ＲＡＭ１２のトランザクションデータ３２に収納する。具体的には、図７に示すように、トランザクションデータ３２の作業開始時間３２ｂとして収納し、このとき前記担当者コード３２ａも収納する。
【００１５】
ステップＳ１４において、処理件数をゼロクリアする。
【００１６】
ステップＳ１５において、操作パネル１７より発行する印字データのフォーマット番号や発行枚数を入力する。
【００１７】
ステップＳ１６において、前ステップＳ１５より入力されたフォーマットに従い、ラベルを印字・発行するとともに、ラベルが発行されたごとに「生産量」として発行枚数ｎをカウントする。
【００１８】
ステップＳ１７において、発行されたラベル３を図示省略の製品などに貼付する。
【００１９】
ステップＳ１８において、前記入力された所望枚数分のラベルが発行されたか否かを判定し、発行されていない場合はステップ１５に戻り、ステップＳ１６〜Ｓ１７のラベル発行、ラベル貼付処理を繰り返す。
一方、所望枚数分のラベルの印字・発行および貼付が終了した場合は、ステップＳ１９に進む。
【００２０】
ステップS１９において、ラベルプリンタ１をログアウトして作業を終了する。このとき、トランザクションデータ３２として、前記発行枚数ｎがラベル発行処理件数３２ｃに記憶・収納されるとともに、ログアウトの時間が作業終了時間３２ｄに収納・記憶される。
【００２１】
次に、図８に基づき、トランザクションデータの返送手順を説明する。
【００２２】
ステップS３１において、データをラベルプリンタにて印字するか、それともホストへ送信するのか判定し、操作パネル１７より「印字」が指示・入力された場合はステップＳ３２へ進み、「ホストへ送信」が指示された場合はステップＳ３５に進む。
【００２３】
ステップＳ３２において、トランザクションデータ３２を担当者コード３２ａおよび作業開始時間３２ｂにてソートする。
【００２４】
ステップＳ３３において、担当者別に処理件数３２ｃを集計して生産量３３ｄを算出するとともに、作業開始時間３２ｂの最小および作業終了時間３２ｂの最大を抽出して実績時間３３ｆとし、かつ、担当別目標データ３３に収納されている目標値３３ｃと前記生産量３３ｄより、達成率３３ｅを算出する。達成率３３ｃの算出は、生産量３３ｄ／目標値３３ｃにて算出する。
【００２５】
ステップＳ３４において、前記集計した結果を印字展開エリア２９にて、図５に示すシフト別作業実績データ３３に編集してラベルプリンタ１に印字し、ステップ３９に進む。これにより、ラベルプリンタ側にてシフト別、担当者別の生産量、目標値に対する実績、達成度が把握できるものである。出力結果は日報などに収納するなど、ラベルプリンタ側での管理データとして使用可能である。
【００２６】
ステップＳ３５は、ラベルプリンタ１がホストコンピュータ２１よりトランザクションデータ３２の返信要求を受信した場合の処理であり、ラベルプリンタ１よりホストコンピュータ２１に向けてのデータの送信忘れ防止のため、前記ステップＳ３１における操作パネル１７よりの「ホスト送信」指示のほか、ホストコンピュータ２１よりのトランザクションデータ３２の返送要求が用意されているものである。
【００２７】
ステップＳ３６において、ラベルプリンタ１側でトランザクションデータ３２を担当者コード３２ａおよび作業開始時間３２ｂにてソートする。
【００２８】
ステップＳ３７において、担当者別に処理件数３２ｃを集計して生産量３３ｄを算出するとともに、作業開始時間３２ｂの最小および作業終了時間３２ｂの最大を抽出して実績時間３３ｆとし、かつ、担当別目標データ３３に収納されている目標値３３ｃと前記生産量３３ｄより、達成率３３ｅを算出する。達成率３３ｃの算出は、生産量３３ｄ／目標値３３ｃにて算出する。
【００２９】
ステップＳ３８において、ラベルプリンタ１は前記集計した結果を、ホスト制御回路１９を介してホストコンピュータ２１に返送（送信）する。
【００３０】
ステップＳ３９では、トランザクションデータをクリアし、処理を終了する。
【００３１】
なお、ステップＳ３８において、ラベルプリンタ１からホストコンピュータ２１に返信された集計結果は、ホストコンピュータ２１にて図４に示される稼動状況記憶手段としてのシフト別作業実績データ３５の実績データ３７部分に記憶される。すなわち、ラベルプリンタ１にて集計・算出された生産量３３ｄ、達成率３３ｅ、実績時間３３ｆは、各々シフト別作業実績データ３５の生産量３５ｄ、達成率３５ｅ、実績時間３５ｆに収納・記憶されるものであり、ネットワークを介して末端のラベルプリンタ１の稼動状況がホストコンピュータ２１側おいて把握可能となるものである。
【００３２】
上述したように、ラベルプリンタ１において、操作パネル１７から入力されたログオンからログオフまでの間に印字・発行したラベル３の発行枚数ｎをトランザクションデータ３２の処理件数３２ｃとして記憶し、かつ、シフト区分および担当者ごとに、前記処理件数３２ｃを集計して生産量３３ｄを印字・出力できる。
【００３３】
更に、ホストコンピュータ２１より作業予定量を、発行するラベル３の枚数に換算した目標値３３ｃとして送信してラベルプリンタ１側で記憶するので、前記生産量３３ｄに対する目標値３３ｃの割合で表される達成率３３ｅが、シフト区分および担当者ごとに把握できるため、先の生産量と相俟ってラベルプリンタ１側においてシフト区分および担当者ごとに稼動状況が把握・管理できる。
【００３４】
さらに、ラベルプリンタ１側で集計した生産量３３ｄ等のデータは、ネットワークを介してホストコンピュータ２１側に送信されるので、末端（遠隔地）のラベルプリンタ１の稼動状況が本部においても把握・管理できるものである。
【００３５】
なお、予めホストコンピュータ２１において、担当者ごと、あるいはシフト区分および担当者ごとに、発行できるラベル３の種類をフォーマット・ナンバー等で記憶・格納しておくことも可能であり、更に、ラベルプリンタ１側で取得するトランザクション３２として、印字・発行するラベル３のフォーマット・ナンバーを記憶してホストコンピュータ２１に送信することも可能であり、ホストコンピュータ２１側にてフォーマット・ナンバーをチェックすることにより、該当担当者の発行できる権限のあるラベル３か否かの判断が可能となり、もってラベルの不正発行の防止ができることになる。
【００３６】
更に、ホストコンピュータ２１より作業予定量を、発行するラベル３の枚数に換算した目標値３３ｃとして送信してラベルプリンタ１側で記憶するので、前記生産量３３ｄに対する目標値３３ｃの割合で表される達成率３３ｅが、シフト区分および担当者ごとに把握できるため、先の生産量と相俟ってラベルプリンタ１側においてシフト区分および担当者ごとに稼動状況が把握・管理できる。
【００３７】
【発明の効果】
この発明に係る印字装置は、上述したように、入力操作手段から入力されたログオンからログオフまでの間に印字発行した用紙枚数を生産量としてシフト区分および担当者ごとに集計して出力するので、プリンタ本体単体でシフト区分および担当者ごとの稼動状況が把握できるという効果がある。
【００３８】
また、請求項２によれば、プリンタ本体に目標値を記憶するので、生産量との対比により達成率が容易に把握できるという効果がある。
【００３９】
更に、本発明に係る稼動状況管理システムは、プリンタ本体の入力操作手段よりホストコンピュータに対する送信要求が指示されたとき、または、ホストコンピュータからの返信要求が指示されたとき、シフト区分および担当者ごとに集計されたデータをプリンタ本体からホストコンピュータに返信し、稼動状況記憶手段に記憶するので、ホストコンピュータ側においてラベル本体の稼動状況が把握・管理できるという効果がある。
【図面の簡単な説明】
【図１】本発明の印字装置を応用したラベルプリンタの一実施の形態の構成例を示す図である。
【図２】図１の制御部の構成例を示すブロック図である。
【図３】図１に示した実施の形態のシフト時間帯データを示す図である。
【図４】図１に示した実施の形態のシフト別作業実績データを示す図である。
【図５】図１に示した実施の形態の動作を説明するためのフローチャートである。
【図６】図１に示した実施の形態の動作を説明するためのフローチャートである。
【図７】図１に示した実施の形態のトランザクションデータを示す図である。
【図８】図１に示した実施の形態の動作を説明するためのフローチャートである。
【符号の説明】
１  ラベルプリンタ
２  制御部
３  ラベル
４  サーマルヘッド
５  供給軸
６  ラベル連続体
７  台紙
８  プラテンローラ（プラテン）
９  位置検出センサ
１０  ＲＯＭ
１１  ＣＰＵ
１２  ＲＡＭ
１３  ラベル搬送機構
１４  ラベル搬送回路
１５  サーマルヘッド印加回路
１６  識別マーク検出回路
１７  操作パネル
１８  液晶表示＆操作キー回路
１９  ホスト制御回路
２０  リアルタイムカレンダー回路
２１  ホストコンピュータ
２２  プリンタ制御プログラム
２３  各種固定データ
２４  制御テーブルデータ
２５  ＩＯ定数
２６  シフト管理制御プログラム
２７  フラグ
２８  ワークエリア
２９  印字展開エリア
３０  現在日付
３１  シフト時間帯データ
３２  トランザクションデータ
３３  シフト別作業実績データ
３４  シフト時間帯データ
３５  シフト別作業実績データ
３６  担当別目標データ
３７  実績データ
【図１】
0004001324.tif 000002
【図２】
0004001324.tif 000003
【図３】
0004001324.tif 000004
【図４】
0004001324.tif 000005
【図５】
0004001324.tif 000006
【図６】
0004001324.tif 000007
【図７】
0004001324.tif 000008
【図８】
0004001324.tif 000009